(57)【要約】【課題】  使い勝手の良い携帯情報端末及びコンピュータ・ソフトウエアを提供する。【解決手段】  人工衛星からの位置情報と基地局からの位置情報に基づいてユーザの現在位置を検出する処理を行う現在位置検出手段と、現在位置を示す位置情報ＵＲＬをホストコンピュータから取得する処理を行うＵＲＬ取得手段と、メールを作成し編集する処理を行うメール作成編集手段２０５と、位置情報ＵＲＬを編集中メール本文に位置情報として挿入する処理を行うメール位置情報挿入手段とを備えた携帯情報端末において、複数タスクを並行処理することができると共に、現在位置検出手段とＵＲＬ取得手段による処理が２以上のタスクからなり、これらのタスクの処理の間に、ユーザの操作を受けてメールを作成し編集する。【選択図】        図２
2005267411.tif 000002
【特許請求の範囲】
【請求項１】
人工衛星からの位置情報と基地局からの位置情報に基づいてユーザの現在位置を検出する処理を行う現在位置検出手段と、該現在位置検出手段により検出された現在位置を示す位置情報ＵＲＬをホストコンピュータから通信ネットワークを介して取得する処理を行うＵＲＬ取得手段と、ユーザの操作を受けてメールを作成し編集する処理を行うメール作成編集手段と、ユーザの操作を受けて位置情報ＵＲＬを編集中メール本文に位置情報として挿入する処理を行うメール位置情報挿入手段とを備えた携帯情報端末において、
複数タスクを並行処理することができると共に、前記現在位置検出手段とＵＲＬ取得手段による現在位置検出処理とＵＲＬ取得処理が２以上のタスクからなり、これらのタスクの処理の間に、前記メール作成編集手段によるユーザの操作を受けてメールを作成し編集する処理を行うことを特徴とする携帯情報端末。
【請求項２】
上記メール本文に位置情報ＵＲＬ所要空き容量が充分であるかどうかの挿入処理可否を確認する請求項１記載の携帯情報端末。
【請求項３】
ユーザから文字入力中のメール本文に位置情報ＵＲＬを挿入する指示を受け、位置情報ＵＲＬ所要空き容量が充分であると、位置情報取得アプリケーションへ位置情報取得要求を発行する請求項２記載の携帯情報端末。
【請求項４】
文字入力処理と位置情報取得処理を並行に行い、入力文字列の表示を行う第１表示領域と位置情報取得進行状態の表示を行う第２表示領域とを有する文字入力画面を表示する請求項３記載の携帯情報端末。
【請求項５】
キー入力毎に第１表示領域の文字列を更新した進行状態を取得し、第１表示領域の状態更新を行う請求項４記載の携帯情報端末。
【請求項６】
前記位置情報ＵＲＬ取得処理終了時に、位置情報ＵＲＬをメール本文に挿入する請求項３記載の携帯情報端末。
【請求項７】
ユーザから文字入力中のメール本文に位置情報ＵＲＬを挿入する指示を受け、位置情報ＵＲＬ所要空き容量が所定容量以下であると、その旨を表示し、位置情報ＵＲＬ取得処理を終了する請求項２記載の携帯情報端末。
【請求項８】
位置情報取得起動処理結果が失敗であると、その旨を表示し、位置情報ＵＲＬ取得処理を終了する請求項１記載の携帯情報端末。
【請求項９】
上記処理をコンピュータに実現させるプログラムからなる請求項１〜８のいずれか１項に記載の携帯情報端末に使用されるコンピュータ・ソフトウエア。
【発明の詳細な説明】
【技術分野】
【０００１】
本発明は、携帯情報端末及びコンピュータ・ソフトウエアに係り、特にメール本文編集を中断させずに効率的に位置情報を取得することができる携帯情報端末に関する。
【背景技術】
【０００２】
近年、インターネット技術の普及に伴い、携帯電話に代表される携帯情報端末を用いた電子メールによる情報交換が、めざましい勢いで普及している。また、ＧＰＳ（Ｇｌｏｂａｌ  Ｐｏｓｉｔｉｏｎｉｎｇ  Ｓｙｓｔｅｍ）衛星から得たＧＰＳ情報（位置情報）を通信ネットワークと接続されたホストコンピュータへ送信し、ホストコンピュータから位置情報を示す地図情報ＵＲＬ（Ｕｎｉｆｏｒｍ  Ｒｅｓｏｕｒｃｅ  Ｌｏｃａｔｏｒ）をダウンロードして、メール本文に添付することで、相手に自分の現在地を地図上に表示して通知することは携帯用文字入力機能として搭載されている（たとえば、特許文献１、２参照）。
【特許文献１】特開２００３−１１４１３７号公報
【特許文献２】特開２０００−１８１８１４号公報
【発明の開示】
【発明が解決しようとする課題】
【０００３】
しかしながら、上述特許文献１、２においては、位置情報を取得処理中にはメール本文編集処理を同時に実行できない問題がある。
【０００４】
図１は、従来のメール編集システムを採用した位置情報挿入処理フローチャートを示す。図１において、電子メールを作成している途中にユーザからの位置情報をメール本文に添付する指示があった場合には、まず編集中のメール本文を一時保存し、文字入力状態の退避処理を行ってから（Ｓ１０１）、起動中の文字入力システムの中断処理を行う（Ｓ１０２）。次に、位置情報取得システムに対して位置情報取得要求を発行し（Ｓ１０３）、メール編集システムは休止状態へ遷移する。起動された位置情報取得システムにおいて、ＧＰＳ測位処理（Ｓ１０４）、通信機能を起動してＧＰＳ測位結果送信（Ｓ１０５）、地図情報ＵＲＬ取得処理を実行する（Ｓ１０６）。位置情報取得システムは、ステップＳ１０７でホストコンピュータからダウンロードしたＵＲＬ情報を確認して、休止中のメール編集システムに対して位置情報取得処理終了通知を発行して終了する。
【０００５】
その後、メール編集システムは位置情報取得処理結果を格納して（Ｓ１０８）、地図情報ＵＲＬを一時保存したメール本文へ挿入する（Ｓ１０９）。最後に編集文字列を用いて、文字入力システムを再起動して再度文字入力画面を表示してから（Ｓ１１０）、メール本文入力を再開するというシリアルの操作が行われる。
【０００６】
位置情報取得システムにおいては、人工衛星からの位置情報と基地局からの位置情報に基づいてＧＰＳ測位処理ステップ（Ｓ１０４）と、前記ＧＰＳ測位処理ステップで得られた計算結果をホストコンピュータへ送信するステップ（Ｓ１０５）と、地図情報ＵＲＬをホストコンピュータからダウンロードするステップ（Ｓ１０６）などの処理が少なくとも必要であり、そして、電波状況によっては上記処理が数十秒間を要し、従来、ユーザはその期間中、メールの編集（作成）ができないという問題があった。
【０００７】
本発明は、上記課題を解決するものであり、使い勝手の良い携帯情報端末及びコンピュータ・ソフトウエアを提供することを目的とする。
【課題を解決するための手段】
【０００８】
上記目的を達成するために、複数タスクを並行処理する処理手段と、人工衛星からの位置情報と基地局からの位置情報に基づいてユーザの現在位置を検出する現在位置検出手段と、前記現在位置検出手段により検出された現在位置を示す位置情報ＵＲＬを通信ネットワークと接続されたホストコンピュータからの位置情報取得手段と、前記位置情報を編集中メール本文に位置情報ＵＲＬを挿入する手段とを備えた携帯情報端末において、ユーザから文字入力中のテキスト本文に位置情報を挿入する指示を受けた場合、位置情報取得アプリケーションへ位置情報取得要求を発行し、その後、文字入力毎に文字列を更新して第１表示領域に表示すると共に、位置情報取得処理の状況を第２の表示領域に表示を行い、前記位置情報ＵＲＬ取得処理終了時に位置情報測定結果をユーザへ通知し、位置情報ＵＲＬをメール本文に自動挿入することができる。
【０００９】
さらに位置情報ＵＲＬをメール本文に追加しメール本文容量が所定の容量を越えた場合、挿入処理可否確認手段はメールが所定の容量を越えていることをユーザに通知することにより、ユーザは取得した位置情報ＵＲＬを確実にメール本文に挿入することができる。
【００１０】
すなわち、本発明は、人工衛星からの位置情報と基地局からの位置情報に基づいてユーザの現在位置を検出する処理を行う現在位置検出手段と、該現在位置検出手段により検出された現在位置を示す位置情報ＵＲＬをホストコンピュータから通信ネットワークを介して取得する処理を行うＵＲＬ取得手段と、ユーザの操作を受けてメールを作成し編集する処理を行うメール作成編集手段と、ユーザの操作を受けて位置情報ＵＲＬを編集中メール本文に位置情報として挿入する処理を行うメール位置情報挿入手段とを備えた携帯情報端末において、複数タスクを並行処理することができると共に、前記現在位置検出手段とＵＲＬ取得手段による現在位置検出処理とＵＲＬ取得処理が２以上のタスクからなり、これらのタスクの処理の間に、前記メール作成編集手段によるユーザの操作を受けてメールを作成し編集する処理を行う携帯情報端末である。
【００１１】
また、本発明は、上記メール本文に位置情報ＵＲＬ所要空き容量が充分であるかどうかの挿入処理可否を確認する携帯情報端末である。
【００１２】
そして、本発明は、ユーザから文字入力中のメール本文に位置情報ＵＲＬを挿入する指示を受け、位置情報ＵＲＬ所要空き容量が充分であると、位置情報取得アプリケーションへ位置情報取得要求を発行する携帯情報端末である。
【００１３】
更に、本発明は、文字入力処理と位置情報取得処理を並行に行い、入力文字列の表示を行う第１表示領域と位置情報取得進行状態の表示を行う第２表示領域とを有する文字入力画面を表示する携帯情報端末である。
【００１４】
また、本発明は、キー入力毎に第１表示領域の文字列を更新した進行状態を取得し、第１表示領域の状態更新を行う携帯情報端末である。
【００１５】
そして、本発明は、前記位置情報ＵＲＬ取得処理終了時に、位置情報ＵＲＬをメール本文に挿入する携帯情報端末である。
【００１６】
更に、本発明は、ユーザから文字入力中のメール本文に位置情報ＵＲＬを挿入する指示を受け、位置情報ＵＲＬ所要空き容量が所定容量以下であると、その旨を表示し、位置情報ＵＲＬ取得処理を終了する携帯情報端末である。
【００１７】
また、本発明は、位置情報取得起動処理結果が失敗であると、その旨を表示し、位置情報ＵＲＬ取得処理を終了する携帯情報端末である。
【００１８】
そして、本発明は、上記処理をコンピュータに実現させるプログラムからなる携帯情報端末に使用されるコンピュータ・ソフトウエアである。
【発明の効果】
【００１９】
本発明によれば、使い勝手の良い携帯情報端末を得ることができる。
【発明を実施するための最良の形態】
【００２０】
本発明を実施するための最良の形態を説明する。
本発明の携帯情報端末及びコンピュータ・ソフトウエアの実施例について、図面を用いて説明する。
【実施例】
【００２１】
以下、図面を参照して本発明の携帯情報端末の実施例を説明する。図２は本実施例の携帯情報端末におけるメール本文編集システムを示す。メール本文編集システムは、携帯情報端末用メールシステムの一部であり、ユーザのキー操作を受信することでキャラクタデータを生成し、文章データの作成、編集及び保存処理を行うことができる。また基本構成は、文字保存処理部２０１と、文字列挿入処理部２０２と、メモリ２０３と、入力装置２０４と、メール編集制御部２０５と、表示制御部２０６と、文字入力処理部２０７と、文字入力初期起動処理部２０８と、文字入力復帰処理部２０９と、表示部２１０で構成される。
【００２２】
入力装置２０４は、番号や文字を入力するダイヤルキーや、カーソルの移動や機能選択を行うための機能キーから構成され、ユーザのキー操作の識別を行ってから、メール編集制御部２０５で識別できる信号に変換し、出力する。また、携帯情報端末内部からの制御情報も入力装置２０４を通してメール編集制御部２０５へ通知処理を行う。
【００２３】
メール編集制御部２０５は、入力装置２０４から入力される信号を基に、メール本文システムの各処理ブロックの制御を行う。また、メール本文編集中にユーザの指示により、他アプリケーションから情報取得処理が必要な場合には他アプリケーションへ情報取得の起動要求の発行を行う。
【００２４】
文字保存処理部２０１は、メール編集制御部２０５の制御に基づいて、編集中の文字列を既定のフォーマットでメモリ２０３に保存する。
【００２５】
文字列挿入処理部２０２は、メール編集制御部２０５から文字列挿入の指示を受けた場合には、まず、他アプリケーションから取得した挿入文字列を格納し、挿入文字列の長さおよび編集中メール本文の空き容量の計算を行う。編集中メール本文の空き容量が充分である場合には、該当文字列の挿入処理を行ってから、文字入力編集画面に戻る。また、編集中メール本文の空き容量が挿入文字列より少ない場合には、文字列挿入不可の旨を通知して、文字入力編集画面に戻る。
【００２６】
文字入力処理部２０７は、メール編集制御部２０５から通知されるユーザの操作内容を基に、データベースを検索したり、表示制御部２０６を制御して、表示部２１０にて文字列の表示を実行する。
【００２７】
文字入力初期起動処理部２０８は、メール編集制御部２０５の制御に基づき、表示制御部２０６を制御して、表示部２１０にて文字入力画面の描画を実行する。
【００２８】
文字入力復帰処理部２０９は、メール編集制御部２０５の制御に基づき、表示制御部２０６を制御して、一時退避されている文字列および文字入力モードを復帰し、表示部２１０にて文字入力画面の再描画を実行する。
【００２９】
メモリ２０３は、メール本文の格納領域を含み、文字入力中断時メール本文および文字入力モード設定パラメータの一時保存領域を備える。更に、文字列挿入処理に必要な各種データを一時保存する領域を備える。
【００３０】
表示制御部２０６は、メール編集制御部２０５と、文字入力処理部２０７と、文字入力初期処理２０８と、文字入力復帰処理部２０９の制御に基づいて、メール編集ためのＧＵＩ（Ｇｒａｐｈｉｃａｌ  Ｕｓｅｒ  Ｉｎｔｅｒｆａｃｅ）表示画面を表示部２１０に表示させる。
【００３１】
表示部２１０は、例えば液晶表示装置で構成され、表示制御部２０６の制御に従って、各種情報をテキスト、或いはイメージなどで表示する。
【００３２】
図３は、メール本文編集画面の一例であり、画面の構成を説明する。メール本文編集画面は、電波の電界レベル、バッテリの残容量、時刻情報を表示するピックト表示領域３０１と、文字入力タイトル、入力文字数および入力可能文字数を示す文字入力タイトル表示領域３０２と、設定情報および位置情報表示領域（第２表示領域）３０３と、編集中メール本文を表示するテキスト表示領域（第１表示領域）３０４と、文字入力モードおよび文字列各種操作を行う操作部３０５とを備える。
【００３３】
ここで、図４の画面遷移フローチャートを用いて、メール本文編集する際の位置情報取得処理の動作を説明する。まず、ユーザが携帯電話の待ちうけ画面から、メール機能を起動し、メール本文入力するための操作をすると、入力装置２０４がメール本文編集制御部２０５に対してメール本文編集の要求を送信する。次に、メール本文編集要求を受信したメール本文編集制御部２０５はメモリ２０３から編集本文保存領域を獲得してから、文字入力初期起動処理部を制御して、初期文字入力画面の設定を行う。次に、メール本文編集制御部２０５は入力装置２０４から入力されたユーザのキー操作を文字入力処理部２０７に通知し、ユーザの操作に基づき文字コードが生成される。文字入力処理部２０７は表示制御部２０６を制御し、第一表示領域３０４に入力文字列を表示させてから、タイトル表示領域３０２の確定文字数を更新する（図４ａ参照）。
【００３４】
ここで、ユーザがサブメニューから位置情報添付機能を選択すると、第２表示領域３０３に位置情報取得処理アイコンが点灯される（図４ｂ参照）。
【００３５】
本実施例の携帯情報端末における位置情報取得処理は、ＧＰＳ測位開始から完了までのタスク、ＧＰＳ情報送信タスク、地図情報ダウンロード開始から完了までのタスク等からなり、そして、複数のワークエリアを有するため、これらのタスクの間にユーザの操作を受けてメールを作成し編集する処理を並行に行うことができる。そのため、位置情報取得処理アイコンの点灯表示処理後にユーザのキー操作によって第１表示領域３０４の文字列表示（メール本文）が更新され、第２表示領域３０５にて位置情報取得進行状態のアイコン表示の更新が行われる（図４ｃ〜ｅ参照）。アイコンの状態は、ＧＰＳ測位完了（図４ｃ）、ＧＰＳ情報送信完了（図４ｄ）、地図情報ダウンロード完了（図４ｅ）の順で各状態アイコンを点灯していることを示している。
【００３６】
最後に、ダウンロードしたＵＲＬ情報を編集中メール本文に挿入して、位置情報の挿入処理を終了する（図４ｆ参照）。
【００３７】
以上、本実施例の携帯情報端末におけるメール本文編集中位置情報の自動挿入処理の表示変化および動作の概要を説明した。
【００３８】
次に、図５を用い、位置情報自動挿入処理の重要な一環であり、位置情報取得起動処理の流れの一例について、詳細に説明する。
【００３９】
メール編集制御部２０５は、ユーザから位置情報挿入指示が受けた場合、まず、文字入力処理部にて挿入可能文字数を取得し（Ｓ５０１）、位置情報ＵＲＬを編集中メール本文へ挿入できるかどうかの判定を行う（Ｓ５０２）。これは、携帯電話においてはメールにて送信可能な最大文字数は制限されているため、位置情報取得処理前にＵＲＬ処理挿入の可否を判断し、無駄な通信処理を防ぐためである。そして、編集中メール本文に位置情報ＵＲＬを自動挿入する所要空き容量が充分である場合には、メモリ２０３から位置情報保存領域および進行状態格納領域を取得し（Ｓ５０３、Ｓ５０４）、位置情報取得システムに対して前記位置情報保存領域および進行状態格納領域を通知するとともに、起動要求を発行し（Ｓ５０５）、ステップＳ５０６に移行する。
【００４０】
ステップＳ５０２において、編集中メール本文に位置情報ＵＲＬを自動挿入する所要空き容量が充分でない場合には、位置情報挿入不可ＰＯＰを表示してユーザに通知し（Ｓ５０８）、メール本文の編集を再開する（Ｓ５１０）。
【００４１】
ステップＳ５０６において、位置情報取得システムが進行状況格納領域に格納した起動処理の結果の判定を行う。これは、起動処理に失敗であると、位置情報ＵＲＬをメール本文に挿入することができないためである。そして、位置情報取得起動処理が成功した場合には、位置情報取得起動中アイコンを点灯し、最大入力可能文字数として最大入力可能文字数から既入力文字数と位置情報ＵＲＬ既定文字数をから差し引いた余りとする位置情報取得進行状態表示付き入力モード設定を行ってから、メール本文の編集を再開する（Ｓ５０７）。
【００４２】
ステップＳ５０６において、位置情報取得起動処理が失敗した場合には、位置情報取得起動失敗ＰＯＰを表示してユーザに通知し（Ｓ５０９）、メール本文の編集を再開する（Ｓ５１０）。
【００４３】
以上、本実施例における位置情報取得起動処理の動作について説明した。携帯電話においてはメールにて送信可能な最大文字数は制限されているため、本実施例によれば、前記位置情報取得起動処理によって、位置情報取得処理前にＵＲＬ処理挿入の可否を判断し、無駄な通信処理を防ぐことができる。
【００４４】
次に、本実施例の携帯情報端末における位置情報取得中の文字入力キー処理および位置情報取得進行状態更新処理の流れの一例について、図６を用いて詳細に説明する。
【００４５】
図６は、本発明の位置情報取得進行状態取得および位置情報挿入動作の流れの一例を示すフローチャートである。メール編集制御部２０５は、ユーザから位置情報挿入指示を受けた場合、まず位置情報起動取得処理（Ｓ６０１）を行う。位置情報起動取得処理の起動が成功した場合には、位置情報取得進行状態表示付き入力モードにて文字入力処理を行い、文字入力処理と同時に位置情報取得処理が並行して行われる。
【００４６】
まず、メール編集システム側の処理の流れについて説明する。メール編集制御部２０５は、まず入力装置２０４から通知されるユーザのキー操作を文字入力処理部２０７へ送信し、ステップＳ６０３へ移行する。
【００４７】
ステップＳ６０３において、文字入力処理部２０７はメール編集制御部２０５からのユーザ操作通知を基に、文字の編集を行ってから、ステップＳ６０４にて表示制御部２０６を制御し、第１表示領域の文字列更新を行う。
【００４８】
前記キー入力操作終了した後に、メール編集制御部２０５は、位置情報取得進行状態を格納する（Ｓ６０５）。
【００４９】
ステップＳ６０６において、メール編集制御部２０５は、位置情報取得進行状態格納領域に格納された進行状態に基づき、表示制御部２０６を制御し、第２表示領域３０２の該当状態アイコンを点灯し、更新する。
【００５０】
ステップＳ６０７は、進行状態に基づき位置情報取得進行状態判定するステップである。
【００５１】
位置情報取得処理が完了した場合にはステップＳ６０８へ移行して位置情報の挿入処理を行うが、位置情報取得処理完了していない場合にはステップＳ６０２へ戻って次のキー入力操作の処理を行う。ステップＳ６０２からステップＳ６０７までの処理は、位置情報取得処理が終了するまで継続される。
【００５２】
また、位置情報取得システムにおいて、メール編集システムの文字入力処理と並行的にステップＳ６１１〜Ｓ６１７にて位置情報取得処理を行う。これは、ステップＳ６１１〜Ｓ６１７の位置情報取得処理は、複数のタスクからなり、これらのタスクの間にメール編集システムの文字入力処理を行うことができるからである。位置情報取得システムの動作処理の流れの一例について、以下説明する。
【００５３】
まず、人工衛星からの位置情報と基地局からの位置情報取得して、前記人工衛星からの位置情報と基地局からの位置情報に基づいてＧＰＳ測位処理（Ｓ６１１）を行う。ＧＰＳ測位処理完了後に、メール編集システムに通知された進行状態格納領域にてＧＰＳ測位完了状態を設定する（Ｓ６１２）。次に、前記ＧＰＳ測位処理にて得られた計算結果を通信ネットワークに接続されたホストコンピュータへ送信し（Ｓ６１３）、進行状態格納領域にてＧＰＳ測位結果送信完了状態を設定する（Ｓ６１４）。そしてホストコンピュータから地図情報ＵＲＬをダウンロードし、進行状態格納領域にて地図情報ＵＲＬダウンロード完了状態を設定する（Ｓ６１６）。以上の位置情報ＵＲＬの取得処理が完了した後に、メール編集システムに対して位置情報取得処理通知を発行（Ｓ６１７）して位置情報取得システム側処理が終了し、メール編集システム側処理のステップＳ６０８へ移行する。
【００５４】
ステップＳ６０８において、位置情報取得処理が完了した場合には、文字列挿入処理部はまず位置を示す位置情報ＵＲＬを格納する。そして、位置情報ＵＲＬを編集メール本文に挿入し（Ｓ６０９）、表示制御部２０６を制御して、第１表示領域の文字列および第２表示領域の進行状態表示を完了させる（Ｓ６１０）。
【００５５】
以上、本実施例の携帯情報端末におけるメール編集システムに関する位置情報自動挿入方法について説明した。
【００５６】
以上説明したように、本実施例においては、文字入力表示画面に位置情報表示用の第２表示領域を設けることで、位置情報取得進行状態が見ながら文字入力が継続できるとともに、使い勝手がよいメール編集システムを提供することができる。
【００５７】
なお、本実施例の携帯情報端末における処理は、ほとんど、コンピュータ・ソフトウエアで実現される。
【図面の簡単な説明】
【００５８】
【図１】従来の位置情報挿入処理を示すフローチャート。
【図２】本実施例の携帯情報端末におけるメール本文編集システムの説明図。
【図３】本実施例の携帯情報端末におけるメール本文編集画面の一例の説明図。
【図４】本実施例の携帯情報端末における位置情報取得進行状態画面表示遷移の一例の説明図。
【図５】本実施例の携帯情報端末における位置情報取得起動処理の流れの一例のフローチャートの説明図。
【図６】本実施例の携帯情報端末における位置情報挿入処理の流れの一例のフローチャートの説明図。
【符号の説明】
【００５９】
２０１  文字保存処理部
２０２  文字列挿入処理部
２０３  メモリ
２０４  入力装置
２０５  メール編集処理部
２０６  表示制御部
２０７  表示処理部
２０８  文字入力初期起動処理部
２０９  文字入力復帰処理部
２１０  表示部
３０１  ピクット表示領域
３０２  タイトル表示領域
３０３  第２表示領域
３０４  第１表示領域
３０５  操作部表示領域
【図１】
2005267411.tif 000003
【図２】
2005267411.tif 000004
【図３】
2005267411.tif 000005
【図４】
2005267411.tif 000006
【図５】
2005267411.tif 000007
【図６】
2005267411.tif 000008